(57)【要約】【課題】フレームとカバーとの合わせ部からケース内に浸入した水がブロックの部品収容部に取り付けられた部品にかかることを防止できる電気接続箱を提供する。【解決手段】電気接続箱１は、ケース２と、ケース２内に収容されるブロック３とを備えている。ケース２は、フレーム４と、フレーム４の下端側に取り付けられるロアカバー５とを有している。フレーム４の外壁４１とロアカバー５の外壁５１との合わせ部においては、ロアカバー５の外壁５１の上端５１ａが、フレーム４の外壁４１の下端４１ａよりも内側に位置付けられていると共に部品挿入面３１ａとほぼ同じ高さに位置付けられている。ブロック３の外縁部には、当該ブロック３の部品収容部３１と前記合わせ部との間に位置すると共に部品収容部３１の下端側の部品挿入面３１ａより下まで延びた防水壁３０が設けられている。【選択図】図３
2014171327.tif 000002
【特許請求の範囲】
【請求項１】
ケースと、前記ケース内に収容されるブロックと、を備え、
前記ケースが、フレームと、前記フレームの下端側に取り付けられるカバーと、を有し、
前記フレームの外壁と前記カバーの外壁との合わせ部が設けられた電気接続箱において、
前記ブロックの外縁部に、当該ブロックの部品収容部と前記合わせ部との間に位置すると共に前記部品収容部の下端側の部品挿入面より下まで延びた防水壁が設けられている
ことを特徴とする電気接続箱。
【請求項２】
前記ケース内面における前記フレームと前記カバーとの境界部が、前記部品挿入面と同じ高さか前記部品挿入面より上に位置付けられている
ことを特徴とする請求項１に記載の電気接続箱。
【発明の詳細な説明】
【技術分野】
【０００１】
本発明は、自動車に搭載される電気接続箱に関するものである。
【背景技術】
【０００２】
自動車に搭載される電気接続箱には様々な構造のものがあるが、例えば、図６に示す構造のものがある（特許文献１を参照。）。図６に示す電気接続箱３０１は、ケース２と、ケース２内に収容されるブロック３０３と、ブロック３０３に取り付けられるリレー、ヒューズ、バスバ、端子付き電線６等の複数の部品と、を備えている。
【０００３】
上記ケース２は、フレーム４と、フレーム４の下端側に取り付けられるロアカバー５と、を有している。図６中のＡ部は、フレーム４の外壁４１とロアカバー５の外壁５１との合わせ部である。また、図示例の合わせ部においては、ロアカバー５の外壁５１の上端５１ａが、フレーム４の外壁４１の下端４１ａよりも内側に位置付けられている。
【０００４】
上記ブロック３０３は、上述した部品が取り付けられる複数の部品収容部を有している。また、図６に示すように、フレーム４の外壁４１とロアカバー５の外壁５１との合わせ部近傍に配置された部品収容部３１は、下端側の部分に端子付き電線６やバスバを収容する。この端子付き電線６は、端子部分が部品収容部３１内に収容され、電線部分が部品収容部３１外に導出される。
【０００５】
また、ケース２内面におけるフレーム４とカバー５との境界部Ａ１（すなわち前記合わせ部におけるロアカバー５の外壁５１の上端５１ａ）は、部品収容部３１の下端側の部品挿入面３１ａとほぼ同じ高さに位置付けられている。「部品収容部３１の下端側の部品挿入面３１ａ」とは、端子付き電線６やバスバを収容するキャビティが開口した面である。
【先行技術文献】
【特許文献】
【０００６】
【特許文献１】特開２０１１−１２５１７４号公報
【発明の概要】
【発明が解決しようとする課題】
【０００７】
上述した従来の電気接続箱３０１においては、以下に示す問題があった。すなわち、フレーム４の外壁４１とロアカバー５の外壁５１との合わせ部は、外壁４１，５１同士が互いに重なり合って迷路構造を作っているが、高圧洗浄水等の勢いの強い水がケース２にかかった場合は、図６中に矢印で示すように、前記合わせ部からケース２内に水が浸入すると共に、該水がケース２内面におけるフレーム４とカバー５との境界部Ａ１からブロック３０３側に吹き出して、端子付き電線６の端子近傍部分などにかかってしまうという問題があった。なお、ケース２内面におけるフレーム４とカバー５との境界部Ａ１が、部品挿入面３１ａと同じ高さか部品挿入面３１ａより上に位置付けられている場合、前記合わせ部から浸入した水が、端子付き電線６の端子近傍部分に特にかかり易いという問題があった。
【０００８】
したがって、本発明は、フレームとカバーとの合わせ部からケース内に浸入した水がブロックの部品収容部に取り付けられた部品にかかることを防止できる電気接続箱を提供することを目的とする。
【課題を解決するための手段】
【０００９】
上記目的を達成するために請求項１に記載された発明は、ケースと、前記ケース内に収容されるブロックと、を備え、前記ケースが、フレームと、前記フレームの下端側に取り付けられるカバーと、を有し、前記フレームの外壁と前記カバーの外壁との合わせ部が設けられた電気接続箱において、前記ブロックの外縁部に、当該ブロックの部品収容部と前記合わせ部との間に位置すると共に前記部品収容部の下端側の部品挿入面より下まで延びた防水壁が設けられていることを特徴とする電気接続箱である。
【００１０】
請求項２に記載された発明は、請求項１に記載された発明において、前記ケース内面における前記フレームと前記カバーとの境界部が、前記部品挿入面と同じ高さか前記部品挿入面より上に位置付けられていることを特徴とするものである。
【発明の効果】
【００１１】
請求項１に記載された発明によれば、ブロックに防水壁が設けられていることにより、フレームとカバーとの合わせ部からケース内に浸入した水がブロックの部品収容部に取り付けられた部品にかかることを防止できる。
【００１２】
請求項２に記載された発明によれば、ケース内面におけるフレームとカバーとの境界部が、前記部品挿入面と同じ高さか前記部品挿入面より上に位置付けられていると、フレームとカバーとの合わせ部からケース内に浸入した水が部品収容部に取り付けられた部品に特にかかり易いが、ブロックに防水壁が設けられていることにより、フレームとカバーとの合わせ部からケース内に浸入した水がブロックの部品収容部に取り付けられた部品にかかることを防止できる。
【図面の簡単な説明】
【００１３】
【図１】本発明の一実施形態にかかる電気接続箱の断面斜視図である。
【図２】図１に示された電気接続箱の分解図である。
【図３】図１に示された電気接続箱における水の浸入経路を説明する説明図である。
【図４】図１に示されたケースの変形例を示す断面図である。
【図５】図１に示されたケースの他の変形例を示す断面図である。
【図６】従来の電気接続箱における水の浸入経路を説明する説明図である。
【発明を実施するための形態】
【００１４】
本発明の一実施形態にかかる「電気接続箱」を図１〜３を参照して説明する。
【００１５】
図１に示す電気接続箱１は、自動車に搭載されるものであり、ケース２と、ケース２内に収容されるブロック３と、ブロック３に取り付けられるリレー、ヒューズ、バスバ、端子付き電線６等の複数の部品と、を備えている。
【００１６】
上記ケース２は、図２に示すように、枠状に形成されたフレーム４と、フレーム４の下端側に取り付けられるロアカバー５（請求項の「カバー」に相当する。）と、フレーム４の上端側に取り付けられるアッパカバー（不図示）と、を有している。これらフレーム４、ロアカバー５、アッパカバーは、合成樹脂で構成されている。また、上記ブロック３は、フレーム４の内側に組み付けられる。
【００１７】
図１中のＡ部は、フレーム４の外壁４１とロアカバー５の外壁５１との合わせ部である。また、本実施形態の合わせ部においては、ロアカバー５の外壁５１の上端５１ａが、フレーム４の外壁４１の下端４１ａよりも内側に位置付けられている。また、この合わせ部は、外壁４１，５１同士が互いに重なり合って迷路構造を作っている。
【００１８】
上記ブロック３は、図２に示すように、合成樹脂によりブロック状に形成されている。このブロック３は、リレー、ヒューズ、バスバ、端子付き電線６等の部品が取り付けられる複数の部品収容部３１，３２，３３を有している。また、図１，３に示すように、フレーム４の外壁４１とロアカバー５の外壁５１との合わせ部近傍に配置された部品収容部３１は、下端側の部分に端子付き電線６やバスバを収容する。この端子付き電線６は、端子部分が部品収容部３１内に収容され、電線部分が部品収容部３１外に導出される。
【００１９】
また、本実施形態においては、ケース２内面におけるフレーム４とカバー５との境界部Ａ１が、部品収容部３１の下端側の部品挿入面３１ａとほぼ同じ高さに位置付けられている。「部品収容部３１の下端側の部品挿入面３１ａ」とは、端子付き電線６やバスバを収容するキャビティが開口した面である。また、上述したように、本実施形態のフレーム４とロアカバー５との合わせ部は、ロアカバー５の外壁５１の上端５１ａがフレーム４の外壁４１の下端４１ａよりも内側に位置付けられている。よって、本実施形態では、ロアカバー５の外壁５１の上端５１ａが、前記「ケース２内面におけるフレーム４とカバー５との境界部Ａ１」となる。
【００２０】
また、図４，５は、本発明に含まれる他のケースの断面図である。図４に示すケース１０２のように、フレーム１０４とロアカバー１０５との合わせ部において、フレーム１０４の外壁１４１の下端１４１ａがロアカバー１０５の外壁１５１の上端１５１ａよりも内側に位置付けられている場合は、フレーム１０４の外壁１４１の下端１４１ａが、「ケース１０２内面におけるフレーム１０４とカバー１０５との境界部Ａ２」となる。図５に示すケース２０２は、フレーム２０４とロアカバー２０５との合わせ部において、ロアカバー２０５の外壁２５１の上端２５１ａがフレーム２０４の外壁２４１の下端２４１ａよりも内側に位置付けられている。よって、ロアカバー２０５の外壁２５１の上端２５１ａが、「ケース２０２内面におけるフレーム２０４とカバー２０５との境界部Ａ３」となる。
【００２１】
なお、本発明においては、「ケース内面におけるフレームとカバーとの境界部（Ａ１，Ａ２，Ａ３）」が、部品収容部３１の下端側の部品挿入面３１ａより上に位置付けられていても良い。
【００２２】
さらに、本発明においては、上記ブロック３の外縁部に、当該ブロック３の部品収容部３１と前記合わせ部との間に位置すると共に部品収容部３１の下端側の部品挿入面３１ａより下まで延びた防水壁３０が設けられている。
【００２３】
上記電気接続箱１においては、フレーム４の外壁４１とロアカバー５の外壁５１との合わせ部が上述したように迷路構造になっているので、水が浸入し難くはなっているが、高圧洗浄水等の勢いの強い水がケース２にかかった場合は、図３中に矢印で示すように、前記合わせ部からケース２内に水が浸入すると共に、該水がケース２内面におけるフレーム４とカバー５との境界部Ａ１からブロック３側に吹き出してしまう。しかし、電気接続箱１においては、ブロック３に防水壁３０が設けられていることにより、フレーム４とロアカバー５との合わせ部から浸入すると共に境界部Ａ１から吹き出した水が、部品収容部３１に取り付けられた端子付き電線６の端子近傍部分やバスバにかかることを防止できる。よって、端子付き電線６の端子やバスバが濡れることを防止できる。
【００２４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２５】
１  電気接続箱
２  ケース
３  ブロック
４  フレーム
５  ロアカバー（カバー）
３０  防水壁
３１  部品収容部
３１ａ  部品挿入面
４１  外壁
５１  外壁
【図１】
2014171327.tif 000003
【図２】
2014171327.tif 000004
【図３】
2014171327.tif 000005
【図４】
2014171327.tif 000006
【図５】
2014171327.tif 000007
【図６】
2014171327.tif 000008